(57)【特許請求の範囲】
【請求項１】
幅方向両側面にそれぞれ上下の掛止条を配置した垂木と，該垂木の掛止条に長手方向両端に固定した掛止具を掛止係合することによって垂木間にその長手方向スライド自在に架設した中骨と，上記垂木の掛止条に上下の係止部をスナップイン係止することによって垂木の側面に配置し且つ上記垂木における中骨位置を定めて該中骨をその両側面で挟持固定した垂木側面カバーとを備えてなることを特徴とする屋外構築物の屋根フレーム。
【請求項２】
上記垂木の掛止条を，該垂木の幅方向内側に変位して配置した垂直の突条とし，上記中骨の掛止具を該中骨上下に引掛溝を形成したピース部材とし，該中骨の上記垂木間架設を傾斜した中骨の起立回動によってその引掛溝に垂直の突条を受入係合することによって行ってなることを特徴とする請求項１に記載の屋外構築物の屋根フレーム。
【請求項３】
上記掛止具が，その先端に垂木の掛止条に対する位置決め用突起を備えてなることを特徴とする請求項１又は２に記載の屋外構築物の屋根フレーム。
【請求項４】
上記掛止具が，その先端に垂木の掛止条に対する位置決め用にして且つ垂木に点接触する点接触回動用の位置決め兼用回動突起を備えてなることを特徴とする請求項２に記載の屋外構築物の屋根フレーム。
【発明の詳細な説明】
【技術分野】
【０００１】
本発明は，サンルーム，テラス，カーポート等の屋外構築物に関し，特にその屋根フレームに関する。
【背景技術】
【０００２】
この種屋外構築物の屋根フレームは，例えば対向する桁間又は垂木掛と桁間に垂木を配置し，該垂木と直交するように垂木の側面に中骨を架設して形成するものとされ，屋根パネルを垂木及び中骨に載置し，該屋根パネルの端部を垂木上に固定した垂木カバーによって圧着挟持することによって屋根を形成するものとされる。このとき上記垂木に対する中骨の架設は，例えば，対向する桁間や垂木掛と桁間に垂木を固定するのと同様にコ字状金具を用いて，垂木側面に該コ字状金具をネジ止めし，中骨によってコ字状金具を被嵌してその起立片に中骨側面からネジ止めするように行うものとされる。
【０００３】
【特許文献１】実開平６−２０６４４号公報
【発明の開示】
【発明が解決しようとする課題】
【０００４】
しかしこの場合，中骨は，対向する桁間や垂木掛と桁間への垂木の架設と同様に，垂木側面にネジ止めしたコ字状金具を被嵌して該中骨側面からネジ止めするものとされるから，垂木の架設を含めると著しく多数のコ字状金具のネジ止めが必要になるとともに該ネジ止めは上方高所で行うために煩雑な作業が増加して作業性を低下することになり易い。また垂木の架設は幾分かの寸法的なクリアランスを持たせることも可能であるが，中骨を設置する垂木は一般に内側の天井に露出することになるところ，例えば垂木の中骨設置箇所以外の側面に垂木側面カバーを設置し垂木側面を化粧して内観を向上する構造のものを意図しても，垂木に対するコ字状金具の位置決めが正確に得られないと，垂木における垂木側面カバー設置位置の長さ寸法が過剰となったり，不足したりして，該垂木側面カバーの設置ができないことになって，該垂木側面カバーを切断してその長さを短寸化するように調整したり，垂木側面カバーを設置し得ても該垂木側面カバーと中骨との間に隙間が生じて内部の外観を損うといった問題点を招くことになる。
【０００５】
本発明はかかる事情に鑑みてなされたもので，その解決課題とするところは，中骨と該中骨設置箇所以外の垂木側面に垂木側面カバーを可及的簡易且つ確実に設置し得るようにして内部の外観を可及的良好とした屋外構築物の屋根フレームを提供するにある。
【課題を解決するための手段】
【０００６】
上記課題に沿って本発明は，垂木の側面に掛止条を，中骨の長手方向端部に掛止具をそれぞれ設置し，掛止具を掛止条に掛止係合することによって中骨を垂木に対してその長手方向スライド自在に架設し，また垂木側面カバーの設置を上記掛止条にスナップイン係止するようにして中骨及び垂木側面カバーの設置を可及的簡易且つ確実になし得るものとする一方，中骨の位置を該垂木側面カバーに合せてスライド調整して該中骨の両側面を垂木側面カバーで挟持することによってその位置決め固定を行うようにしたものであって，即ち請求項１に記載の発明を，幅方向両側面にそれぞれ上下の掛止条を配置した垂木と，該垂木の掛止条に長手方向両端に固定した掛止具を掛止係合することによって垂木間にその長手方向スライド自在に架設した中骨と，上記垂木の掛止条に上下の係止部をスナップイン係止することによって垂木の側面に配置し且つ上記垂木における中骨位置を定めて該中骨をその両側面で挟持固定した垂木側面カバーとを備えてなることを特徴とする屋外構築物の屋根フレームとしたものである。
【０００７】
請求項２に記載の発明は，上記に加えて，上記掛止条に掛止具を掛止係合することによる中骨の垂木間架設を，中骨を幅方向に傾斜した状態で起立回動することによって可及的簡易になし得るものとするように，これを，上記垂木の掛止条を，該垂木の幅方向内側に変位して配置した垂直の突条とし，上記中骨の掛止具を該中骨上下に引掛溝を形成したピース部材とし，該中骨の上記垂木間架設を傾斜した中骨の起立回動によってその引掛溝に垂直の突条を受入係合することによって行ってなることを特徴とする請求項１に記載の屋外構築物の屋根フレームとしたものである。
【０００８】
請求項３に記載の発明は，同じく上記に加えて，掛止具の先端に掛止条に対する位置決め用突起を配置することによって上記掛止条に対する掛止具の掛止係合位置の位置決めを可及的容易になし得るものとするように，上記掛止具が，その先端に垂木の掛止条に対する位置決め用突起を備えてなることを特徴とする請求項１又は２に記載の屋外構築物の屋根フレームとしたものである。
【０００９】
請求項４に記載の発明は，同じく上記に加えて，掛止具の先端に該掛止条に対する位置決めと該垂木に点接触する点接触回動用の突起を配置することによって，上記掛止条に対する掛止具の掛止係合位置の位置決めと中骨の回動を可及的容易になし得るものとするように，これを，上記掛止具が，その先端に垂木側面奥行方向位置決め用にして且つ点接触回動用の位置決め回動兼用突起を備えてなることを特徴とする請求項２に記載の屋外構築物の屋根フレームとしたものである。
【００１０】
本発明は，これらをそれぞれ発明の要旨として上記課題解決の手段としたものである。
【発明の効果】
【００１１】
本発明は以上のとおりに構成したから，請求項１に記載の発明は，垂木の側面に掛止条を，中骨の長手方向端部に掛止具をそれぞれ設置し，掛止具を掛止条に掛止係合することによって中骨を垂木に対してその長手方向スライド自在に架設し，また垂木側面カバーの設置を上記掛止条にスナップイン係止する一方，中骨の位置を該垂木側面カバーに合せてスライド調整して該中骨の両側面を垂木側面カバーで挟持することによってその位置決め固定を行うようにして，中骨と該中骨設置箇所以外の垂木側面に垂木側面カバーを可及的簡易且つ確実に設置し得るようにして内部の外観を可及的良好とした屋外構築物の屋根フレームを提供することができる。
【００１２】
請求項２に記載の発明は，上記に加えて，上記掛止条に掛止具を掛止係合することによる中骨の垂木間架設を，中骨を幅方向に傾斜した状態で起立回動することによって可及的簡易になし得るものとすることができる。
【００１３】
請求項３に記載の発明は，同じく上記に加えて，掛止具の先端に掛止条に対する位置決め用突起を配置することによって上記掛止条に対する掛止具の掛止係合位置の位置決めを可及的容易になし得るものとすることができる。
【００１４】
請求項４に記載の発明は，同じく上記に加えて，掛止具の先端に該掛止条に対する位置決めと該垂木に点接触する点接触回動用の突起を配置することによって，上記掛止条に対する掛止具の掛止係合位置の位置決めと中骨の回動を可及的容易になし得るものとすることができる。
【発明を実施するための最良の形態】
【００１５】
以下図面の例に従って本発明を更に具体的に説明すれば，Ａは，例えばサンルームとした屋外構築物であり，該屋外構築物Ａは，四隅の支柱１上に設置した屋根フレーム３に屋根パネル４を載置固定した片流れ屋根２と，正面に配置した嵌め殺し部５と，側面上方に配置した換気用内倒し窓６及びその下位に配置した折畳戸７を備えたものとしてある。
【００１６】
屋根フレーム３は，幅方向両側面にそれぞれ上下の掛止条１３を配置した垂木１０と，該垂木１０の掛止条１３に長手方向両端に固定した掛止具１７を掛止係合することによって垂木１０間にその長手方向スライド自在に架設した中骨１６と，上記垂木１０の掛止条１３に上下の係止部２０をスナップイン係止することによって垂木１０の側面に配置し且つ上記垂木１０における中骨位置を定めて該中骨１６をその両側面で挟持固定した垂木側面カバー１９とを備えたものとしてあり，本例にあって上記垂木１０の掛止条１３を，該垂木１０の幅方向内側に変位して配置した垂直の突条とし，上記中骨１６の掛止具１７を該中骨１６上下に引掛溝を形成したピース部材とし，該中骨１６の上記垂木１０間架設を傾斜した中骨１６の起立回動によってその引掛溝に垂直の突条を受入係合することによって行ったものとしてある。
【００１７】
垂木１０，中骨１６及び垂木側面カバー１９は，本例にあってそれぞれアルミ押出材製長尺のものとしてあり，垂木１０は，例えば上端の水平基部１１と，該水平基部１１裏面の幅方向両端から幾分幅方向内側に変位した位置から下向きに垂下した一対の垂下条１２を備えるとともに上記水平基部１１の垂下条１２外側から上位の掛止条としてＩ字状下向きの垂直の突片を垂下して突設する一方，垂下条１２の下方外側に下位の掛止条として同じくＩ字状上向きの垂直の突片をなす倒Ｌ字突片を突設して，これら下向き及び上向きの垂直の突片によって上記中骨の掛止具１７を掛止係合する掛止条１３を形成してあり，また該垂木１０の上記垂下条１２の下端には，該垂木１０と別部材とした垂木アタッチメント１９の上向きフィンをネジ固定することによって該垂下条１２の下端開口を閉塞するようにしてある。
【００１８】
中骨１６は，例えば中空基部とその中空部にブリッジを介して配置したタッピングホールを備えた矩形断面をなすものとしてあり，該中骨１６の長手方向両端の上記掛止具１７は，該中骨１０のタッピングホールに対して掛止具１７側からのネジ１８を螺入することによってこれを固定したものとしてあり，このとき該掛止具１７は，例えば合成樹脂厚肉の一体成形部品によってこれを形成した，例えば厚肉基部と該厚肉基部の上下にスリット状の上記引掛溝を形成した正面矩形にしてその厚肉基部にネジ穴を透設したピース部材によるものとしてあり，該掛止具１７は，その上記ネジ穴  から中骨１６のタッピングホールに対してネジ１８を螺入することによってネジ止めして，その中骨の長手方向両端に固定したものとしてある。
【００１９】
このとき本例にあって，該掛止具１７を中骨１６に固定したネジ１８は，そのネジ頭を該掛止具１７から外側に突出するように配置し，該ネジ頭を上記垂木１０の垂下条１２に突き当てることによって該ネジ頭がスペーサーとして機能し，該掛止具１７が上記垂木１０の掛止条１３に掛止係合する位置決め用にして且つ垂木１０に点接触する点接触回動用の位置決め兼用回動突起をなすものとしてある。
【００２０】
また垂木側面カバー１９は，垂直基部と該垂直基部の裏面上下に，上記垂木１０の掛止条１３の間隔に合せて該掛止条１３にスナップイン係止するスナップイン用の係止部２０を突出して備えたものとしてある。
【００２１】
垂木１０は，本例にあって垂木掛８と桁９間に，例えばコ字状金具を用いて所定間隔に複数配置してあり，即ち該コ字状金具は，その底面を垂木掛８及び桁９にそれぞれ対接して底面からのネジによって垂木掛と桁間に対向するように所定間隔にネジ止めし，垂木１０によってコ字状金具をそれぞれ被嵌するように配置し該垂木１０の長手方向端部の両側面からコ字状金具の起立片にネジを螺入することによってその架設固定を行ってある。
【００２２】
長手方向両端に掛止具１７を固定した中骨１６は，これら垂木１０間に，屋根フレーム３の出幅に応じて単一乃至複数，本例にあっては単一の中骨１６を該垂木１０に直交するように架設配置してあり，該中骨１６の架設配置は，例えば中骨１６の側面を上向きにして垂木間にその斜め交差方向から該中骨１６を垂木間に直交するように水平方向に移動して，該中骨１６の長手方向両端の掛止具１７，本例にあっては該掛止具１７の上下に配置した引掛溝を垂木１０の掛止条１３，即ち上下の垂直の突条の位置に合せるように配置し，該中骨１６を直立するように起立回動することによって該引掛溝に該垂木１０の掛止条１３を受入係合して，該中骨１６が，垂木１０の長手方向任意の位置に架設されるように配置すればよい。
【００２３】
このとき本例の掛止具１７は，該掛止具１７を中骨１６に固定したネジ１８を掛止具１７の外側に突出したネジ頭による位置決め兼用起動突起を備えたものとしたことにより，中骨１６を傾斜した状態で該突起が垂木１０の垂下条１２に対接するように突き当てれば，掛止具１７が掛止条１３に対して定位置に位置決めされるから該中骨１０を起立回動すれば自ずと掛止具１７が掛止条１３に係合する位置関係を確保し得ることになり，また該中骨１０の起立回動は，位置決めを行った該突起が掛止具１７と垂下条１２の摩擦抵抗を減少する結果，起立回動を容易且つスムーズになし得るものとすることができる。
【００２４】
垂木１０に架設配置した中骨１６は，例えば該中骨１６の架設配置後に，中骨１６片側に配置される片側一方の垂木側面カバー１９の係止部２０を，垂木１０の掛止条１３にスナップイン係止することによって，該垂木１０の，上記掛止条１３を設置したことによって形成される側面溝を部分的に閉塞し，該垂木側面カバー１９における中骨１６側の長手方向一方端部に該中骨１６をスライドすることによって該中骨１６一方の側面，即ちその長手方向先端近傍の側面を対接するようにして垂木１０長手方向における中骨１６の位置決めを行うとともに該中骨１６の他方の側面側に同様にスナップイン係止し，他方の垂木側面カバー１９によって垂木１０における残余の側面溝を閉塞するようにすればよく，従って垂木側面カバー１９の長さを定尺とすることによって，中骨１６は該垂木側面カバー１９によって挟持固定され，垂木１０に対して確実に固定された屋根フレーム３を形成することができる。
【００２５】
なお図中１５は，垂木１０に載置した屋根パネル４を該垂木１０とともに挟持固定する屋根面に位置する垂木カバーである。
【００２６】
従って本例の屋根フレーム３にあっては，垂木掛８と桁９間に架設して配置した各垂木１０間  に，傾斜した中骨１６を起立回動するようにしてその掛止具１７を垂木１０の掛止条１３に掛止係合することによって該中骨１６を架設し，垂木側面カバー１９を掛止条１３にスナップイン係止することによって該垂木側面カバー１９を配置して，該垂木側面カバー１９により中骨１６をその両側面で挟持固定することができ，従って屋根フレーム３を作業性よく形成することが可能となるとともに上記中骨１６の掛止具１７を垂木１０の掛止条１３に対して長手方向スライド自在としたことによって，中骨１６を垂木１０の長手方向任意位置に設置してスライド調整して垂木１０長手方向における位置決めを行うことが可能となり，これによって垂木側面カバー１９との間に隙間を生じることなく，中骨１６と垂木側面カバー１９とを一体的としたように納まりのよい内部の外観を確保することができる。
【００２７】
図示した例は以上のとおりとしたが，垂木の掛止条を受溝とする一方，掛止条を該受溝に掛止係合する突起とすること，同じく掛止条によって垂木の底面との間に受溝を形成し，掛止条の端部を該受溝に掛止係合すること，掛止具を中骨に固定するネジを掛止具に埋込状に配置し，掛止具に該ネジとは別の単一又は複数の突起を，例えば一体成形することによって該突起を垂木の掛止条に対する位置決め用のものとして掛止具に配置し，また該別の突起を回動し易い単一のものとし垂木に点接触する点接触回動用の位置決め兼用回動突起として掛止具に配置すること等を含めて，垂木，その掛止条，中骨，掛止条，垂木側面カバー等の各具体的形状，構造，材質，これらの関係，これらに対する付加等は，上記発明の要旨に反しない限り様々のものとすることができる。
【図面の簡単な説明】
【００２８】
【図１】屋外構築物の斜視図である。
【図２】屋根フレームと中骨の関係を示す斜視図である。
【図３】中骨の設置状態を示す斜視図である。
【図４】中骨の掛止具と垂木の関係を示す垂木の側面図である。
【図５】中骨の端部を示す側面図である。
【図６】垂木と垂木側面カバーの関係を示す斜視図である。
【符号の説明】
【００２９】
Ａ  屋外構築物
１  支柱
２  片流れ屋根
３  屋根フレーム
４  屋根パネル
５  嵌め殺し部
６  換気用内倒し窓
７  折畳戸
８  垂木掛
９  桁
１０  垂木
１１  水平基部
１２  垂下条
１３  掛止条
１４  垂木アタッチメント
１５  垂木カバー
１６  中骨
１７  掛止具
１８  ネジ
１９  垂木側面カバー
２０  係止部
【図１】
0004714601.tif 000002
【図２】
0004714601.tif 000003
【図３】
0004714601.tif 000004
【図４】
0004714601.tif 000005
【図５】
0004714601.tif 000006
【図６】
0004714601.tif 000007